(57)【要約】      （修正有）【課題】低コストデバイスのための復号複雑性を減らすための方法を提供する。【解決手段】ＤＣＩを低コストデバイスに送信するためのコンパクトＤＣＩフォーマットを生成する方法は、ＰＤＣＣＨフォーマットを単純化する。コンパクトＤＣＩフォーマットは、通常のＵＥによって使用される少なくとも１つの標準ＤＣＩフォーマットに対応し、標準ＤＣＩフォーマットと比較された場合に、低減された数のビットを備える。方法は、ブラインド復号の数を減らすことを含み、受信側の低コストデバイスが、復号候補の制限されたセットに対してブラインド復号を実行することだけ必要となるように、復号候補の制限されたセットからＤＣＩを送信するためのリソースのセットを選択する。【選択図】図６
2019195196.tif 000002
【特許請求の範囲】
【請求項１】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信することと
を備える方法。
【請求項２】
前記第１のタイプのデバイスは、前記第２のタイプのデバイスと比較した場合、低下した処理能力を備える、請求項１に記載の方法。
【請求項３】
前記第１のデバイスは、低コストユーザ機器（ＵＥ）を備える、請求項１に記載の方法。
【請求項４】
前記ＤＣＩを生成することは、
リソース割付情報に対して割り付けられるビットを有さない前記ＤＣＩを生成することを備え、前記ＤＣＩは、一度に一人のユーザに対して複数のリソースを割り付ける、請求項１に記載の方法。
【請求項５】
前記ＤＣＩを生成することは、
リソース割付可能性の制限されたセットのために、前記ＤＣＩを生成することを備える、請求項１に記載の方法。
【請求項６】
前記ＤＣＩを生成することは、
制限された変調およびコード化スキーム（ＭＣＳ）のために前記ＤＣＩを生成することを備える、請求項１に記載の方法。
【請求項７】
前記制限されたＭＣＳは、可能なコード化レートの制限されたセットで直交位相変調（ＱＰＳＫ）のみを備える、請求項６に記載の方法。
【請求項８】
前記ＤＣＩを生成することは、
ハイブリッド自動再送要求（ＨＡＲＱ）プロセスの制限されたセットに対して、前記ＤＣＩを生成することを備える、請求項１に記載の方法。
【請求項９】
前記ＤＣＩは、ＨＡＲＱプロセスのインジケーションが欠けている、請求項８に記載の方法。
【請求項１０】
前記ＤＣＩを生成することは、
ＤＣＩフォーマット１Ａと０とを区別するために割り付けられる１ビットを有さない前記ＤＣＩを生成することを備え、前記ＤＣＩフォーマット１Ａおよび０は、異なるサイズを有する、請求項１に記載の方法。
【請求項１１】
前記ＤＣＩを生成することは、
前記ＤＣＩに対して、減らされた長さの周期的冗長検査（ＣＲＣ）を生成することを備える、請求項１に記載の方法。
【請求項１２】
前記減らされた長さのＣＲＣを生成することは、
第１の長さのＣＲＣを生成すること、および、前記減らされた長さのＣＲＣを生成するために、前記第１の長さの前記ＣＲＣを切り捨てることを備える、請求項１１に記載の方法。
【請求項１３】
前記ＤＣＩを生成することは、
冗長バージョン（ＲＶ）に対して割り付けられるビットを有さない前記ＤＣＩを生成することを備える、請求項１に記載の方法。
【請求項１４】
前記ＤＣＩを生成することは、
サウンディング基準信号（ＳＲＳ）要求に対して割り付けられるビットを有さない前記ＤＣＩを生成することを備える、請求項１に記載の方法。
【請求項１５】
前記ＤＣＩを生成することは、
送信機電力制御（ＴＰＣ）のための減らされたビット幅を有する前記ＤＣＩを生成することを備える、請求項１に記載の方法。
【請求項１６】
前記ＤＣＩを生成することは、
復調基準信号（ＤＭ−ＲＳ）のための減らされたビット幅を有する前記ＤＣＩを生成することを備える、請求項１に記載の方法。
【請求項１７】
前記ＤＣＩを生成することは、
マルチクラスタフラッグに対して割り付けられる１ビットを有さない前記ＤＣＩを生成することを備える、請求項１に記載の方法。
【請求項１８】
前記ＤＣＩを生成することは、
仮想リソースブロック割当に対して割り付けられる１ビットを有さない前記ＤＣＩを生成することを備える、請求項１に記載の方法。
【請求項１９】
周期的なチャネル状態情報（ＣＳＩ）がサポートされているか否かを決定することと、  周期的なＣＳＩがサポートされていない場合に非周期的なＣＳＩを保持することと、  周期的なＣＳＩがサポートされている場合に非周期的なＣＳＩを取り除くことと
をさらに備える、請求項１に記載の方法。
【請求項２０】
前記ＤＣＩを生成することは、
周波数ホッピングフラッグに対して割り付けられる１ビットを有さない前記ＤＣＩを生成することを備える、請求項１に記載の方法。
【請求項２１】
前記ＤＣＩを生成することは、
ダウンリンク割当インデックス（ＤＡＩ）およびＵＬ割当インデックスに対して割り付けられる１ビットを有さない前記ＤＣＩを生成することを備え、ＵＥごとに、ＤＬサブフレームとＵＬサブフレームとの間で１対１のマッピングが維持される、請求項１に記載の方法。
【請求項２２】
復号候補の制限されたセットから前記ＤＣＩを送信するためのリソースのセットを選択することと、
受信側のＵＥが前記復号候補の制限されたセットに対してブラインド復号を実行することだけ必要となるように、前記リソースの選択されたセットを用いて前記ＤＣＩを送信することと
をさらに備える、請求項１に記載の方法。
【請求項２３】
ワイヤレス通信のための装置であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成するための手段と、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信するための手段と  を備える装置。
【請求項２４】
前記第１のタイプのデバイスは、前記第２のタイプのデバイスと比較した場合、低下した処理能力を備える、請求項２３に記載の装置。
【請求項２５】
前記第１のデバイスは、低コストユーザ機器（ＵＥ）を備える、請求項２３に記載の装置。
【請求項２６】
復号候補の制限されたセットから前記ＤＣＩを送信するためのリソースのセットを選択するための手段と、
受信側のＵＥが前記復号候補の制限されたセットに対してブラインド復号を実行することだけ必要となるように、前記リソースの選択されたセットを用いて前記ＤＣＩを送信するための手段と
をさらに備える、請求項２３に記載の装置。
【請求項２７】
ワイヤレス通信のための装置であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信することと
を行うように構成された少なくとも１つのプロセッサと、
前記少なくとも１つのプロセッサに結合されたメモリと
を備える、装置。
【請求項２８】
ワイヤレス通信のためのコンピュータプログラム製品であって、コンピュータ読取可能な媒体を備え、前記コンピュータ読取可能な媒体は、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信することと
を行うためのコードを備える、コンピュータプログラム製品。
【請求項２９】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記受信されたＤＣＩを処理することと
を備える方法。
【請求項３０】
前記第１のタイプのデバイスは、前記第２のタイプのデバイスと比較した場合、低下した処理能力を備える、請求項２９に記載の方法。
【請求項３１】
前記第１のデバイスは、低コストユーザ機器（ＵＥ）を備える、請求項２９に記載の方法。
【請求項３２】
前記ＤＣＩは、
リソース割付情報に対して割り付けられるビットを有さないＤＣＩを備え、前記ＤＣＩは、一度に一人のユーザに対して複数のリソースを割り付ける、請求項２９に記載の方法。
【請求項３３】
前記ＤＣＩは、
リソース割付可能の制限されたセットのためのＤＣＩを備える、請求項２９に記載の方法。
【請求項３４】
前記ＤＣＩは、
制限された変調およびコード化スキーム（ＭＣＳ）のためのＤＣＩを備える、請求項２９に記載の方法。
【請求項３５】
前記制限されたＭＣＳは、可能なコード化レートの制限されたセットで直交位相変調（ＱＰＳＫ）のみを備える、請求項３４に記載の方法。
【請求項３６】
前記ＤＣＩは、
ハイブリッド自動再送要求（ＨＡＲＱ）プロセスの制限されたセットに対するＤＣＩを備える、請求項２９に記載の方法。
【請求項３７】
前記ＤＣＩは、ＨＡＲＱプロセスのインジケーションが欠けている、請求項３６に記載の方法。
【請求項３８】
前記ＤＣＩは、
ＤＣＩフォーマット１Ａと０とを区別するために割り付けられる１ビットを有さないＤＣＩを備え、前記ＤＣＩフォーマット１Ａおよび０は、異なるサイズを有する、請求項２９に記載の方法。
【請求項３９】
前記ＤＣＩは、
前記ＤＣＩのための減らされた長さの周期的冗長検査（ＣＲＣ）を備える、請求項２９に記載の方法。
【請求項４０】
前記減らされた長さのＣＲＣは、
第１の長さのＣＲＣを生成すること、および、前記減らされた長さのＣＲＣを生成するために前記第１の長さのＣＲＣを切り捨てることによって生成されるＣＲＣを備える、請求項３９に記載の方法。
【請求項４１】
前記ＤＣＩは、
冗長バージョン（ＲＶ）に対して割り付けられるビットを有さないＤＣＩを備える、請求項２９に記載の方法。
【請求項４２】
前記ＤＣＩは、
サウンディング基準信号（ＳＲＳ）要求に対して割り付けられるビットを有さないＤＣＩを備える、請求項２９に記載の方法。
【請求項４３】
前記ＤＣＩは、
送信機電力制御（ＴＰＣ）のための減らされたビット幅を有するＤＣＩを備える、請求項２９に記載の方法。
【請求項４４】
前記ＤＣＩは、
復調基準信号（ＤＭ−ＲＳ）のための減らされたビット幅を有するＤＣＩを備える、請求項２９に記載の方法。
【請求項４５】
前記ＤＣＩは、
マルチクラスタフラッグに対して割り付けられる１ビットを有さないＤＣＩを備える、請求項２９に記載の方法。
【請求項４６】
前記ＤＣＩは、
周期的なチャネル状態情報（ＣＳＩ）がサポートされていない場合に、非周期的なＣＳＩを有するＤＣＩと、
周期的なＣＳＩがサポートされている場合に、非周期的なＣＳＩを有さないＤＣＩと  を備える、請求項２９に記載の方法。
【請求項４７】
前記ＤＣＩは、
仮想リソースブロック割当に対して割り付けられる１ビットを有さないＤＣＩを備える、請求項２９に記載の方法。
【請求項４８】
前記ＤＣＩは、
周波数ホッピングフラッグに対して割り付けられる１ビットを有さないＤＣＩを備える、請求項２９に記載の方法。
【請求項４９】
前記ＤＣＩは、
ダウンリンク割当インデックス（ＤＡＩ）およびＵＬ割当インデックスに対して割り付けられる１ビットを有さないＤＣＩを備え、ＵＥごとに、ＤＬサブフレームとＵＬサブフレームとの間で１対１のマッピングが維持される、請求項２９に記載の方法。
【請求項５０】
前記ＤＣＩは、復号候補の制限されたセットから選択されたリソースのセットを用いて送信され、
前記方法は、前記ＤＣＩを含むＰＤＣＣＨを検出するために、前記復号候補の制限されたセットに対してブラインド復号を実行することを備える、
請求項２９に記載の方法。
【請求項５１】
第１のタイプの第１のデバイスによるワイヤレス通信のための装置であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信するための手段と、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記受信されたＤＣＩを処理するための手段と
を備える装置。
【請求項５２】
前記第１のタイプのデバイスは、前記第２のタイプのデバイスと比較した場合、低下した処理能力を備える、請求項５１に記載の装置。
【請求項５３】
前記第１のデバイスは、低コストユーザ機器（ＵＥ）を備える、請求項５１に記載の装置。
【請求項５４】
前記ＤＣＩは、復号候補の制限されたセットから選択されたリソースのセットを用いて送信され、
前記装置は、前記ＤＣＩを含むＰＤＣＣＨを検出するために、前記復号候補の制限されたセットに対してブラインド復号を実行するための手段を備える、
請求項５１に記載の装置。
【請求項５５】
第１のタイプの第１のデバイスによるワイヤレス通信のための装置であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、    前記受信されたＤＣＩを処理することと
を行うように構成された少なくとも１つのプロセッサと、
前記少なくとも１つのプロセッサに結合されたメモリと、
を備える、装置。
【請求項５６】
第１のタイプの第１のデバイスによるワイヤレス通信のためのコンピュータプログラム製品であって、コンピュータ読取可能な媒体を備え、前記コンピュータ読取可能な媒体は、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記受信されたＤＣＩを処理することと
を行うためのコードを備える、コンピュータプログラム製品。
【発明の詳細な説明】
【技術分野】
【０００１】
[0001]  本願は、譲受人に譲渡され参照により本明細書に明確に組み込まれる、２０１１年１１月１６日に出願された「DOWNLINK CONTROL INFORMATION (DCI) DESIGN FOR LOW COST DEVICES」と題する米国仮特許出願第６１/５６０，３３７号の優先権を主張する。
【０００２】
[0002]  本開示の態様は一般的に、ワイヤレス通信システムに関し、より詳細には、低コストデバイス用のダウンリンク制御情報（Downlink Control Information）（ＤＣＩ）設計に関する。
【背景技術】
【０００３】
[0003]  ワイヤレス通信ネットワークは、音声、ビデオ、パケットデータ、メッセージング、ブロードキャスト、等、様々な通信サービスを提供するために広く展開されている。これらワイヤレスネットワークは、利用可能なネットワークリソースを共有することによって、複数のユーザをサポートすることができる多元接続ネットワークでありうる。このような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークが含まれる。
【０００４】
[0004]  ワイヤレス通信ネットワークは、多数のユーザ機器（ＵＥ）のために通信をサポートすることができる多数の基地局を含みうる。ＵＥは、ダウンリンクおよびアップリンクを介して基地局と通信しうる。ダウンリンク（すなわち、順方向リンク）は、基地局からＵＥへの通信リンクを指し、アップリンク（すなわち、逆方向リンク）は、ＵＥから基地局への通信リンクを指す。
【発明の概要】
【０００５】
[0005]  本開示の特定の態様は、ワイヤレス通信のための方法を提供する。方法は一般的に、第１のタイプの第１のデバイスによるアップリンク（ＵＬ）またはダウンリンク（ＤＬ）送信のうちの少なくとも１つで使用するためにダウンリンク制御情報（ＤＣＩ）を送信するためのコンパクトＤＣＩフォーマットを生成することと、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、このコンパクトＤＣＩフォーマットにしたがってＤＣＩを送信することと、を含む。
【０００６】
[0006]  本開示の特定の態様は、ワイヤレス通信のための装置を提供する。装置は一般的に、第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成するための手段と、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、このコンパクトＤＣＩフォーマットにしたがってＤＣＩを送信するための手段と、を含む。
【０００７】
[0007]  本開示の特定の態様は、ワイヤレス通信のための装置を提供する。装置は一般的に、少なくとも１つのプロセッサと、この少なくとも１つのプロセッサに結合されたメモリを含む。少なくとも１つのプロセッサは一般的に、第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、このコンパクトＤＣＩフォーマットにしたがってＤＣＩを送信することと、を行うように構成される。
【０００８】
[0008]  本開示の特定の態様は、ワイヤレス通信のためのコンピュータプログラム製品を提供する。コンピュータプログラム製品は一般的に、コンピュータ読取可能な媒体を含み、このコンピュータ読取可能な媒体は、第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、このコンパクトＤＣＩフォーマットにしたがってＤＣＩを送信することと、を行うためのコードを備える。
【０００９】
[0009]  本開示の特定の態様は、ワイヤレス通信のための方法を提供する。方法は一般的に、アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、受信されたＤＣＩを処理することと、を含む。
【００１０】
[0010]  本開示の特定の態様は、アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信するための手段と、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、受信されたＤＣＩを処理するための手段とを、ワイヤレス通信のための装置に提供する。
【００１１】
[0011]  本開示の特定の態様は、ワイヤレス通信のための装置を提供する。装置は一般的に、少なくとも１つのプロセッサと、この少なくとも１つのプロセッサに結合されたメモリとを含む。少なくとも１つのプロセッサは一般的に、アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える、および、受信されたＤＣＩを処理することと、を行うように構成される。
【００１２】
[0012]  本開示の特定の態様は、ワイヤレス通信のためのコンピュータプログラム製品を提供する。コンピュータプログラム製品は一般的に、コンピュータ読取可能な媒体を含み、このコンピュータ読取可能な媒体は、アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、コンパクトＤＣＩフォーマットは、第２のタイプの第２のデバイスによって使用される少なくとも１つの標準ＤＣＩフォーマッに対応し、標準ＤＣＩフォーマットと比較した場合に低減された数のビットを備える、および、受信されたＤＣＩを処理することと、を行うためのコードを備える。
【図面の簡単な説明】
【００１３】
【図１】図１は、電気通信システムの例を概念的に図示するブロック図である。
【図２】図２は、電気通信システムにおけるダウンリンクフレーム構造の例を概念的に示すブロック図である。
【図３】図３は、本開示の特定の態様に係る、ワイヤレス通信ネットワークにおいてユーザ機器デバイス（ＵＥ）と通信状態にあるノードＢの例を概念的に示すブロック図を示す。
【図４】図４は、本開示の特定の態様に係る、レガシＤＣＩフォーマット１Ａと、対応するコンパクトＤＣＩフォーマットとの例示的な比較を示す。
【図５】図５は、本開示の特定の態様に係る、レガシＤＣＩフォーマット０と、対応するコンパクトＤＣＩフォーマットとの例示的な比較を示す。
【図６】図６は、本開示の特定の態様にしたがって、ＤＣＩを生成するための、基地局（ＢＳ）によって実行されうる例示的な動作を示す。
【図７】図７は、本開示の特定の態様にしたがって、ＤＣＩを受信および処理するための、ユーザ機器（ＵＥ）（例えば、低コストＵＥ）によって実行されうる例示的な動作を示す。
【詳細な説明】
【００１４】
[0020]  添付の図面に関連して以下に述べられる詳細な説明は、様々な構成の説明を意図したものであり、本明細書において説明される概念が実現され得る、唯一の構成を表すことを意図したものではない。詳細な説明は、様々な概念の徹底した理解を提供することを目的とする特定の詳細を含む。しかしながら、これらの概念が、これらの特定の詳細なしで実施されうることは、当業者にとって明らかであろう。いくつかの事例では、周知の構造およびコンポーネントが、このような概念をあいまいにしないために、ブロック図形式で示されている。
【００１５】
[0021]  本明細書で説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用されうる。「ネットワーク」および「システム」という用語は交換して使用されることが多い。ＣＤＭＡネットワークは、ユニバーサル地上無線アクセス（ＵＴＲＡ）、ｃｄｍａ２０００、等のような無線技術を実現しうる。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６標準をカバーする。ＴＤＭＡネットワークは、モバイル通信のためのグローバルシステム（ＧＳＭ）（登録商標）のような無線技術を実現しうる。ＯＦＤＭＡネットワークは、次世代ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（Ｆｌａｓｈ−ＯＦＤＭ）、等の無線技術を実現しうる。ＵＴＲＡおよびＥ−ＵＴＲＡは、ユニバーサル・モバイル通信システム（ＵＭＴＳ）の一部である。３ＧＰＰ（登録商標）ロングタームエボリューション（ＬＴＥ（登録商標））およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））と称する団体の文書の中で説明されている。ｃｄｍａ２０００およびＵＭＢは、「第３世代パートナーシッププロジェクト２」（３ＧＰＰ２）と称する団体の文書の中で説明されている。本明細書で説明される技法は、上述されたワイヤレスネットワークおよび無線技術だけでなく、他のワイヤレスネットワークおよび無線技術に使用されうる。明瞭さのために、技法の特定の態様は、ＬＴＥに関して下記に記述され、ＬＴＥ用語が下記の記述の大部分で使用されうる。
【００１６】
[0022]  図１は、ワイヤレス通信ネットワーク１００を示し、これは、ＬＴＥネットワークでありうる。ワイヤレスネットワーク１００は、多数の発展型ノードＢ（ｅノードＢ)１１０および他のネットワークエンティティを含みうる。ｅノードＢは、ＵＥと通信する局であり得、基地局、アクセスポイントなどとも呼ばれ得る。ノードＢは、ＵＥと通信する局の別の例である。
【００１７】
[0023]  各ｅノードＢ １１０は、特定の地理的領域に対して通信カバレッジを提供しうる。３ＧＰＰにおいて、「セル」という用語は、この用語が使用されるコンテキストに依存してｅノードＢのカバレッジエリア、および／または、このカバレッジエリアをサービングするｅノードＢサブシステムを指しうる。
【００１８】
[0024]  ｅノードＢは、マクロセル、ピコセル、フェムトセル、および／または、他のタイプのセルに対して通信カバレッジを提供しうる。マクロセルは、比較的大きな地理的エリア（例えば、半径数キロ）をカバーし、サービスに加入しているＵＥによる無制限のアクセスを可能にしうる。ピコセルは、比較的小さい地理的エリアをカバーし、サービスに加入しているＵＥによる無制限のアクセスを可能にしうる。フェムトセルは、比較的小さい地理的エリア（例えば、ホーム）をカバーし、このフェムトセルと関連性のあるＵＥ（例えば、クローズド加入者グループ（ＣＳＧ）のＵＥ、家の中にいるユーザのＵＥ、等）による制限付きアクセスを可能にしうる。マクロセルのためのｅノードＢは、マクロｅノードＢと呼ばれうる。ピコセルのためのｅノードＢは、ピコｅノードＢと呼ばれうる。フェムトセルのためのｅノードＢは、フェムトｅノードＢまたはホームｅノードＢと呼ばれうる。図１で示される例では、ｅノードＢ １１０ａ、１１０ｂ、および１１０ｃはそれぞれ、マクロセル１０２ａ、１０２ｂ、および１０２ｃのためのマクロｅノードＢである。ｅノードＢ １１０ｘは、ピコセル１０２ｘのためのピコｅノードＢありうる。ｅノードＢ １１０ｙおよび１１０ｚはそれぞれ、フェムトセル１０２ｙおよび１０２ｚのためのフェムトｅノードＢでありうる。ｅノードＢは、１つまたは複数の（例えば、３つの）セルをサポートしうる。
【００１９】
[0025]   ワイヤレスネットワーク１００はまた、中継局を含みうる。中継局は、アップストリーム局(例えば、ｅノードＢまたはＵＥのような）からのデータおよび／またはその他の情報の送信を受信し、ダウンストリーム局（例えば、ＵＥまたはｅノードＢのような）にデータおよび／またはその他の情報の送信を送る局である。中継局はまた、他のＵＥのために送信を中継するＵＥでありうる。図１で示される例では、中継局１１０ｒは、ｅノードＢ １１０ａとＵＥ １２０ｒとの間の通信を容易にするために、ｅノードＢ １１０ａおよびＵＥ １２０ｒと通信しうる。中継局はまた、中継ｅノードＢ、リレー等とも呼ばれうる。
【００２０】
[0026]  ワイヤレスネットワーク１００は、例えば、マクロｅノードＢ、ピコｅノードＢ、フェムトｅノードＢ、リレー、等のような異なるタイプのｅノードＢを含む異種ネットワークでありうる。これらの異なるタイプのｅノードＢは、ワイヤレスネットワーク１００において、異なる送信電力レベル、異なるカバレッジエリア、干渉に対する異なるインパクトを有しうる。例えば、マクロｅノードＢは、高い送信電力レベル（例えば、２０ワット）を有するが、ピコｅノードＢ、フェムトｅノードＢ、およびリレーは、より低い送信電力レベル（例えば、１ワット）を有しうる。
【００２１】
[0027]  ワイヤレスネットワーク１００は、同期動作または非同期動作をサポートしうる。同期動作の場合、ｅノードＢは、同じようなフレームタイミングを有し、異なるｅノードＢからの送信は、時間的におおよそアラインされうる。非同期動作の場合、ｅノードＢは、異なるフレームタイミングを有し、異なるｅノードＢからの送信は、時間的にアラインされない可能性がある。本明細書で説明される技法は、同期動作と非同期動作の両方に使用されうる。
【００２２】
[0028]  ネットワークコントローラ１３０は、これらｅノードＢのセットに結合され、これらｅノードＢに協調と制御を提供しうる。ネットワークコントローラ１３０は、バックホールを介してｅノードＢ １１０と通信しうる。ｅノードＢ １１０はまた、例えば、直接的に、または、ワイヤレス・バックホールまたはワイヤライン・バックホールを介して間接的に互いに通信しうる。
【００２３】
[0029]  ＵＥ １２０（例えば、１２０ｘ、１２０ｙ、等）は、ワイヤレスネットワーク１００にわたって分散しており、各ＵＥは、固定式またはモバイルでありうる。ＵＥは、端末、モバイル局、加入者ユニット、局、等とも呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スタブレット、ネットブック、スマートブック、等でありうる。ＵＥは、マクロｅノードＢ、ピコｅノードＢ、フェムトｅノードＢ、リレー、等と通信することができる。図１において、二重の矢印（double arrows）の実線は、ＵＥと、ダウンリンクおよび／またはアップリンクでＵＥをサービングするように設計されたｅノードＢであるサービングｅノードＢとの間の所望の送信を示す。二重の矢印の点線は、ＵＥとｅノードＢとの間の干渉を起こす送信を示す。
【００２４】
[0030]  ＬＴＥは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭおよびＳＣ−ＦＤＭは、システム帯域幅を複数個（Ｋ個）の直交サブキャリアに分割し、それは一般的に、トーン、ビン、等とも呼ばれる。各サブキャリアは、データで変調されうる。一般的に、変調シンボルは、ＯＦＤＭを用いて周波数領域で、ＳＣ-ＦＤＭを用いて時間領域で送られる。隣接するサブキャリア間の間隔は、固定であり得、サブキャリアの総数（Ｋ）は、システム帯域幅に依存しうる。例えば、サブキャリアの間隔は、１５ｋＨｚであり得、最小リソース割付（「リソースブロック」と呼ばれる）は、１２個のサブキャリア（すなわち、１８０ｋＨｚ）でありうる。それゆえ、名目上のＦＦＴサイズは、１．２５、２．５、５、１０、または２０メガヘルツ（ＭＨｚ）のシステム帯域幅に対してそれぞれ、１２８、２５６、５１２、１０２４、または２０４８に等しくなりうる。システム帯域幅はまた、サブバンドに分割されうる。例えば、サブバンドは、１．０８ ＭＨｚ（すなわち、６個のリソースブロック）をカバーし、１．２５、２．５、５、１０、または２０ ＭＨｚのシステム帯域幅に対してそれぞれ、１、２、４、８、または１６個のサブバンドが存在しうる。
【００２５】
[0031]  図２は、ＬＴＥにおいて使用されるダウンリンクフレーム構造を示す。ダウンリンクのための送信タイムラインは、無線フレームの単位に分割されうる。各無線フレームは、あらかじめ決められた持続時間（例えば、１０ミリ秒（ｍｓ））を有し、０〜９のインデクスを有する１０個のサブフレームに分割されうる。各サブフレームは、２つのスロットを含みうる。このように、各無線サブフレームは、０から１９のインデックスを有する２０個のスロットを含みうる。各スロットは、Ｌ個のシンボル期間、例えば、ノーマル・サイクリックプリフィックス（a normal cyclic prefix）の場合には７個のシンボル期間を（図２に示されるように）、または、拡張サイクリックプリフィックス（an extended cyclic prefix）の場合には１４個のシンボル期間を含みうる。各サブフレームにおける２Ｌ個のシンボル期間は、０から２Ｌ−１のインデックスが割り当てられうる。利用可能な時間周波数リソースは、複数のリソースブロックに分割されうる。各リソースブロックは、１つのスロットにおいてＮ個のサブキャリア（例えば、１２個のサブキャリア）をカバーしうる。
【００２６】
[0032]  ＬＴＥでは、ｅノードＢは、ｅノードＢ内の各セルに対して、プライマリ同期信号（a primary synchronization signal）（ＰＳＳ）およびセカンダリ同期信号（a secondary synchronization signal）（ＳＳＳ）を送りうる。プライマリ同期信号およびセカンダリ同期信号は、図２において示されるように、ノーマルサイクリックプレフィックスの場合、各無線フレームのサブフレーム０および５の各々で、それぞれシンボル期間６および５において送られうる。同期信号は、セル検出および獲得のためにＵＥによって使用されうる。ｅノードＢは、サブフレーム０のスロット１におけるシンボル期間０−３において物理ブロードキャストチャネル（ＰＢＣＨ）を送りうる。ＰＢＣＨは、特定のシステム情報を搬送しうる。
【００２７】
[0033]  図２では第１のシンボル全体が描写されているが、ｅノードＢは、各サブフレームの第１のシンボル期間の一部だけで物理制御フォーマットインジケータチャネル（ＰＣＦＩＣＨ）を送りうる。ＰＣＦＩＣＨは、制御チャネルに使用されるシンボル期間の数（Ｍ）を伝達しうる、なお、Ｍは、１、２、または３に等しく、サブフレームごとに変更しうる。Ｍはまた、例えば、１０個未満のリソースブロックを持つ小さなシステム帯域幅では４に等しくなりうる。図２で図示される例では、Ｍ＝３である。ｅノードＢは、各サブフレームの最初のＭ個のシンボル期間（図２ではＭ＝３）において、物理ＨＡＲＱインジケータチャネル（ＰＨＩＣＨ）および物理ダウンリンク制御チャネル（ＰＤＣＣＨ）を送りうる。ＰＨＩＣＨは、ハイブリッド自動再送信（ＨＡＲＱ）をサポートするために情報を搬送しうる。ＰＤＣＣＨは、ＵＥについてのアップリンクおよびダウンリンクリソース割付についての情報とアップリンクチャネルについての電力制御情報とを搬送しうる。図２では第１のシンボル期間には示されていないが、ＰＤＣＣＨとＰＨＩＣＨとが第１のシンボル期間に含まれることは理解される。同様に、ＰＨＩＣＨおよびＰＤＣＣＨもまた、図２ではそのようには示されないが、第２および第３のシンボル期間の両方に存在する。ｅノードＢは、各サブフレームの残りのシンボル期間において、物理ダウンリンク共有チャネル（ＰＤＳＣＨ）を送りうる。ＰＤＳＣＨは、ダウンリンク上でのデータ送信のためにスケジュールされたＵＥのためのデータを搬送しうる。ＬＴＥにおける様々な信号およびチャネルは、「Evolved Universal Terrestrial Radio Access (E-UTRA); Physical Channels and Modulation,」と題する、３ＧＰＰ ＴＳ ３６．２１１に記述されており、これは公に入手可能である。
【００２８】
[0034]  ｅノードＢは、ｅノードＢによって使用されるシステム帯域幅の中心１．０８ ＭＨｚにおいて、ＰＳＳ、ＳＳＳ、およびＰＢＣＨを送りうる。ｅノードＢは、ＰＣＦＩＣＨおよびＰＨＩＣＨを、これらのチャネルが送信される各シンボル期間のシステム帯域幅全体にわたって送りうる。ｅノードＢは、システム帯域幅の特定の部分で、ＵＥのグループにＰＤＣＣＨを送りうる。ｅノードＢは、システム帯域幅の特定の部分で特定のＵＥにＰＤＳＣＨを送りうる。ｅノードＢは、すべてのＵＥにブロードキャスト方式でＰＳＳ、ＳＳＳ、ＰＢＣＨ、ＰＣＦＩＣＨ、およびＰＨＩＣＨを送り、特定のＵＥにユニキャスト方式でＰＤＣＣＨを送り、また、特定のＵＥにユニキャスト方式でＰＤＳＣＨを送りうる。
【００２９】
[0035]  多数のリソースエレメントが各シンボル期間で利用可能でありうる。各リソースエレメントは、１つのシンボル期間において１つのサブキャリアをカバーし、１つの変調シンボルを送信するために使用され、それは、実数値または複素数値でありうる。各シンボル期間における基準信号に使用されないリソースエレメントは、リソースエレメントグループ（resource element groups）（ＲＥＧ）内に配置されうる。各ＲＥＧは、１シンボル期間に４つのリソースエレメントを含みうる。ＰＣＦＩＣＨは、４つのＲＥＧを占有しており、それらは、シンボル期間０において、周波数にわたってほぼ均等に間隙が空けられうる。ＰＨＩＣＨは、３つのＲＥＧを占有しており、それらは、１つ以上の構成可能なシンボル期間において、周波数にわたって拡散されうる。例えば、ＰＨＩＣＨのための３つのＲＥＧはすべて、シンボル期間０に属するか、シンボル期間０、１および２に拡散されうる。ＰＤＣＣＨは、９、１８、３２、または６４個のＲＥＧを占有し、これらは、最初のＭ個のシンボル期間において、利用可能なＲＥＧから選択されうる。ＲＥＧの特定の組み合わせのみが、ＰＤＣＣＨに対して許可されうる。
【００３０】
[0036]  ＵＥは、ＰＨＩＣＨおよびＰＣＦＩＣＨに使用される特定のＲＥＧを知りうる。ＵＥは、ＰＤＣＣＨに対するＲＥＧの異なる組み合わせを探索しうる。探索すべき組み合わせの数は典型的に、ＰＤＣＣＨに対して許可される組み合わせの数よりも少ない。ｅノードＢは、ＵＥが探索するであろう組み合わせのいずれかにおいてＵＥにＰＤＣＣＨを送りうる。
【００３１】
[0037]  ＵＥは、複数のｅノードＢのカバレッジ内にありうる。これらのｅノードＢのうちの１つは、ＵＥをサービングするために選択されうる。サービングｅノードＢは、受信電力、パス損失、信号対雑音比（ＳＮＲ）、等のような様々な基準に基づいて選択されうる。
【００３２】
[0038]  図３は、図１における基地局／ｅＮＢのうちの１つと、ＵＥのうちの１つとでありうる、基地局またはｅＮＢ １１０およびＵＥ １２０の設計のブロック図を示す。制限された関連付けシナリオでは、ｅＮＢ １１０は、図１のマクロｅＮＢ １１０ｃであり、ＵＥ １２０はＵＥ １２０ｙでありうる。ｅＮＢ １１０はまた、ある他のタイプの基地局でありうる。ｅＮＢ １１０は、Ｔ個のアンテナ３３４ａ〜３３４ｔを備え、ＵＥ １２０は、Ｒ個のアンテナ３５２ａ〜３５２ｒを備えうる。ここで、一般的に、Ｔ≧1およびＲ≧1である。
【００３３】
[0039]  ｅＮＢ １１０において、送信プロセッサ３２０は,データソース３１２からデータを受信し、コントローラ／プロセッサ３４０から制御情報を受信する。制御情報は、ＰＢＣＨ、ＰＣＦＩＣＨ、ＰＨＩＣＨ、ＰＤＣＣＨ、等についてのものでありうる。データは、ＰＤＳＣＨ、等についてのものでありうる。送信プロセッサ３２０は、データおよび制御情報を処理（例えば符号化およびシンボルマッピング）してそれぞれ、データシンボルおよび制御シンボルを取得しうる。送信プロセッサ３２０はまた、例えば、ＰＳＳ、ＳＳＳ、およびセル固有基準信号のための基準シンボルを生成しうる。送信（ＴＸ）多入力多出力（ＭＩＭＯ）プロセッサ３３０は、適用可能であれば、データシンボル、制御シンボル、および／または、基準シンボルに対して空間処理（例えば、プリコーディング）を実行し、Ｔ個の出力シンボルストリームをＴ個の変調器（ＭＯＤ）３３２ａ〜３３２ｔに提供しうる。各変調器３３２は、それぞれの出力シンボルストリーム（例えば、ＯＦＤＭ等のための）を処理して、出力サンプルストリームを取得しうる。各変調器３３２はさらに、出力サンプルストリームを処理（例えば、アナログ変換、増幅、フィルタリング、アップコンバート）して、ダウンリンク信号を取得しうる。変調器３３２ａ〜３３２ｔからのＴ個のダウンリンク信号はそれぞれ、Ｔ個のアンテナ３３４ａ〜３３４ｔによって送信されうる。
【００３４】
[0040]  ＵＥ １２０において、アンテナ３５２ａ〜３５２ｒは、ｅＮＢ １１０からダウンリンク信号を受信し、それぞれ復調器（ＤＥＭＯＤ）３５４ａ〜３５４ｒに受信された信号を提供しうる。各復調器３５４は、それぞれ受信された信号を調整し（例えば、フィルタリング、増幅、ダウンコンバート、デジタル化）して、入力サンプルを取得しうる。各復調器３５４は、入力サンプル（例えば、ＯＦＤＭ等のための）をさらに処理して、受信シンボルを取得する。ＭＩＭＯ検出器３５６は、Ｒ個すべての復調器３５４ａ〜３５４ｒからの受信されたシンボルを取得し、適用可能であれば、受信されたシンボルに対してＭＩＭＯ検出を実行し、検出されたシンボルを提供しうる。受信プロセッサ３５８は、検出シンボルを処理（例えば、復調、デインタリーブ、復号）、ＵＥ １２０のための復号されたデータをデータシンク３６０に提供し、コントローラ／プロセッサ３８０に復号された制御情報を提供しうる。
【００３５】
[0041]  アップリンクでは、ＵＥ １２０において、送信プロセッサ３６４は、データソース３６２からデータ（例えば、ＰＵＳＣＨのための）を、コントローラ／プロセッサ３８０から制御情報（例えば、ＰＵＣＣＨ用）を受信および処理しうる。送信プロセッサ３６４はまた、基準信号のための基準シンボルを生成しうる。送信プロセッサ３６４からのシンボルは、適用可能であれば、ＴＸ ＭＩＭＯプロセッサ３６６によってプリコーディングされ、変調器３５４ａ〜３５４ｒ（例えば、ＳＣ−ＦＤＭ、等のための）によってさらに処理され、ｅＮＢ １１０に送信されうる。ｅＮＢ １１０において、ＵＥ １２０からのアップリンク信号はアンテナ３３４によって受信され、復調器３３２によって処理され、適用可能であればＭＩＭＯ検出器３３６によって検出され、受信プロセッサ３３８によってさらに処理され、ＵＥ １２０によって送られた、復号されたデータおよび制御情報が取得されうる。受信プロセッサ３３８は、データシンク３３９に復号されたデータを提供し、コントローラ／プロセッサ３４０に復号された制御情報を提供しうる。
【００３６】
[0042]  コントローラ／プロセッサ３４０および３８０はそれぞれ、ｅＮＢ １１０およびＵＥ １２０での動作を指揮しうる。ＵＥ １２０におけるコントローラ／プロセッサ３８０および／または他のプロセッサおよびモジュールは、図８のブロック８００のための動作、図１０のブロック１００のための動作、および／または、図１１のブロック１１００のための動作、および／または、本明細書に記載されている技法のための他のプロセスを実行または指揮しうる。メモリ３４２および３８２はそれぞれ、基地局１１０およびＵＥ １２０のためのデータおよびプログラムコードを記憶しうる。スケジューラ３４４は、ダウンリンクおよび／またはアップリンクでのデータ送信のためにＵＥをスケジューリングしうる。
【００３７】
[0043]  ＬＴＥにおいて、セル識別子は、０から５０３に及ぶ。同期信号は、セルの検出を助けるために、ＤＣトーンの周りの中央の６２個のリソースエレメント（ＲＥ）で送信される。同期信号は、プライマリ同期信号（ＰＳＳ）およびセカンダリ同期信号（ＳＳＳ）という２つの部分を備える。
【００３８】
[0044]  一構成において、基地局１１０は、低コストＵＥ（a low cost UE）によるアップリンク（ＵＬ）またはダウンリンク（ＤＬ）送信のうちの少なくとも１つで使用するためのコンパクト・ダウンリンク制御情報（Downlink Control Information）（ＤＣＩ）を送信するためのコンパクトＤＣＩフォーマットを生成するための手段と、ここにおいて、コンパクトＤＣＩフォーマットは、通常のＵＥによって使用される少なくとも１つの標準ＤＣＩフォーマットに対応し、標準ＤＣＩフォーマットと比較した場合に低減された数のビットを備える、および、このＤＣＩをコンパクトＤＣＩフォーマットにしたがって送信するための手段と、を含む。１つの態様において、上述された手段は、上述された手段によって記載された機能を実行するように構成された、コントローラ／プロセッサ３４０、メモリ３４２、送信プロセッサ３２０、変調器３３２、およびアンテナ３３４、または、それらの組み合わせを含みうる。別の態様において、上述された手段は、上述された手段によって記載された機能を実行するように構成されたモジュールまたは任意の装置を含みうる。
【００３９】
[0045]  一構成において、ＵＥ １２０（例えば、低コストＵＥ）は、コンパクトＤＣＩフォーマットにしたがって送信されるアップリンク（ＵＬ）またはダウンリンク（ＤＬ）送信のうちの少なくとも１つについてのＤＣＩを受信するための手段と、ここにおいて、このＤＣＩは、標準ＤＣＩフォーマットと比較した場合に低減された数のビットを備える、および、このＤＣＩを処理するための手段とを含む。１つの態様において、上述された手段は、上述された手段によって記載された機能を実行するように構成された、コントローラ／プロセッサ３８０、メモリ３８２、送信プロセッサ３５８、ＭＩＭＯ検出器３５６、復調器３５４、およびアンテナ３５２、またはそれらの組み合わせを含みうる。別の態様において、上述された手段は、上述された手段によって記載された機能を実行するように構成されたモジュールまたは任意の装置を含みうる。
【００４０】
低コストデバイスのための例示的なＤＣＩ設計
[0046]  ＬＴＥ Ｒｅｌ−８／９／１０において、各ＰＤＣＣＨは、ダウンリンク制御情報（ＤＣＩ）フォーマットにしたがう。ダウンリンク（ＤＬ）グラントＤＣＩフォーマット（Downlink (DL) grant DCI formats）は、ＤＣＩフォーマット１、１Ａ、１Ｂ、１Ｄ、２、２Ａ、２Ｂ、および２Ｃを含みうる。アップリンク（ＵＬ）ＤＣＩグラントＤＣＩフォーマットは、ＤＣＩフォーマット０および４を含みうる。ブロードキャスト／マルチキャストＤＣＩフォーマットは、ＤＣＩフォーマット１Ｃ、３、および３Ａを含みうる。
【００４１】
[0047]  特定の態様において、各ＤＣＩフォーマットは、識別子（ＩＤ）(例えば、ＵＥ固有ＩＤまたはブロードキャスト／マルチキャストＩＤ)によってマスクされる１６ビットの周期的冗長検査（Cyclic Redundancy Check）（ＣＲＣ）を含みうる。ある態様において、ＤＣＩのサイズは、システム帯域幅、システムタイプ（例えば、周波数分割複信（ＦＤＤ）または時分割複信（ＴＤＤ））、共通基準信号（ＣＲＳ）アンテナポートの数、ＤＣＩフォーマット、キャリアアリグレーション（carrier aggregation）、またはそれ以外、等に依存しうる。ＤＣＩのサイズは典型的に、ＣＲＣを含む数十ビット（例えば、３０〜７０ビット）である。加えて、ＵＥは、それに宛てられたＰＤＣＣＨが１つ以上存在するか否かを決定するためにブラインド復号（blind decodes）を実行する必要がありうる。ある態様において、ブラインド復号の数は、ＵＬ ＭＩＭＯが構成されると、ＬＴＥ Ｒｅｌ−８および９の場合には最大４４であり、ＬＴＥ Ｒｅｌ−１０の場合には最大６０である。
【００４２】
[0048]  Ｒｅｌ−１１以降の場合、低コストデバイス(例えば、低コストＵＥ）がサポートされうる。一般的に、低コストデバイスは、機械タイプの通信に向いており、通常のＵＥと比較した場合、コストがより低く、低下した処理機能を有する。特定の態様において、これら低コストデバイスは、小さいシステム帯域幅セルで動作し、より少ない処理電力を有することが期待されうる。特定の態様において、スケジューリング柔軟性、チャネル利用（例えば、ＭＣＳ）、リソース割付柔軟性、等は、低コストデバイスにとって、通常ＵＥよりも比較的それほど重要ではない。
【００４３】
[0049]  特定の態様において、低コストＵＥに対して、通常のＵＥと同じＰＤＣＣＨ設計を維持することは、低コストデバイスが処理することができない可能性のある復号複雑性（a decoding complexity）に帰着しうる。本開示の特定の態様は、低コストデバイス（低コストＵＥ）のために復号複雑性を減らすための技法を説明する。１つの技法は、ＰＤＣＣＨフォーマットを簡単にして、低コストデバイスが大量の処理を行う手間を省くことを含みうる。これは、ＤＣＩを低コストデバイスに送信するためのコンパクトＤＣＩフォーマットを生成することによって達成されうる。コンパクトＤＣＩフォーマットは、通常のＵＥによって使用される少なくとも１つの標準ＤＣＩフォーマットに対応し、標準ＤＣＩフォーマットと比較された場合に、低減された数のビットを備えうる。別の技法は、ブラインド復号（上述された）の数を減らして、低コストデバイスによる処理量を減らすことを含みうる。この技法は、受信側の低コストデバイスが、復号候補の制限されたセット（the limited set of decoding candidates）に対してブラインド復号（blind decodes）だけを実行すればいいように、復号候補の制限されたセットからＤＣＩを送信するためのリソースのセットを選択することを含みうる。
【００４４】
[0050]  上述されたように、第１の技法によれば、例えば、より良いＰＤＣＣＨオーバヘッド効率を達成するために、スケジューリング、リソース割付、チャネル利用、柔軟性、等へのインパクトを制限されたものにしながら、ＤＣＩフォーマットのサイズが減らされうる。
【００４５】
[0051]  特定の態様において、低コストデバイス用のＤＣＩ設計は、制限されたリソース割付でのＤＣＩ設計を含みうる。例えば、低コストＵＥによってモニタリングされる小さいシステム帯域幅（例えば、６個のリソースブロック ＲＢ）の場合、ＤＣＩは、一度に、１つのユーザに対して複数のリソースを割り付けうる。このケースの場合、ＤＣＩにおいてリソース割付情報フィールドは必要とされず、よって、ＤＣＩは、リソース割付情報に割り付けられるビットなしに（without bits allocated for the resource allocation information）生成されうる。
【００４６】
[0052]  代替的な態様において、ＤＣＩは、リソース割付可能性の制限されたセットで生成されうる。例えば、６個のＲＢシステムを考慮し、４個のＲＢがデータに対して利用可能であり、他の２個のＲＢが制御シグナリングに対して利用可能であると想定すると、３個の可能なリソース割付だけが可能にされうる、例えば、４個すべてのＲＢ、最初の２個のＲＢ、最後の２つのＲＢ。これは、通常のＤＣＩフォーマットにおける完全な柔軟なリソース割付と比較すると、リソース割付のために２ビットしか要求せず、よって、２ビットの節約につながるだろう。
【００４７】
[0053]  特定の態様において、低コストデバイスのためのＤＣＩ設計は、制限された変調およびコード化スキーム（modulation and coding schemes）（ＭＣＳ）を有するＤＣＩを含みうる。例えば、ＱＰＳＫだけが、可能なコード化レートの制限されたセット（よって、転送ブロックサイズの制限されたセット）とともに、可能とされうる。例えば、４つの可能性は、ＤＣＩ設計において２ビットを必要としうる。これは、現在のＬＴＥ設計から、３ビットの節約につながりうる。
【００４８】
[0054]  特定の態様において、低コストデバイスのためのＤＣＩ設計は、制限されたハイブリッド自動再送要求（ＨＡＲＱ）プロセスを有するＤＣＩを含みうる。ある態様において、Ｈ−ＡＲＱプロセスの制限されたセットが可能にされうる。例えば、ＤＣＩ内にＨＡＲＱ情報フィールド（例えば、ＨＡＲＱプロセスを示すための）を要求しない、ただ１つのＨ−ＡＲＱプロセスが可能にされ得る。これは、周波数分割複信（ＦＤＤ）での３ビット、時分割複信（ＴＤＤ）での４ビットの節約につながりうる。
【００４９】
[0055]  ＬＴＥ Ｒｅｌ−８／９／１０において、ＤＣＩフォーマット１Ａおよび０は、同じサイズを有し、これら２つのフォーマットを区別するためにＤＣＩにおいて１ビットが使用されうる。特定の態様において、フォーマット１Ａおよび０が異なるサイズを有することを要求される場合、このビットは取り除かれうる（例えば、オーバヘッド効率のために）。このように、低コストデバイス用のＤＣＩ設計は、ＤＣＩフォーマット１Ａおよび０を区別する１ビットフラッグを有さないＤＣＩを含みうる。
【００５０】
[0056]  特定の態様において、低コストデバイス用のＤＣＩ設計は、減らされたＣＲＣ長を有するＤＣＩ設計を含みうる。例えば、８ビットのＣＲＣ（通常の１６ビットのＣＲＣの代わりに）が、ＬＴＥの非周期的なチャネル品質インジケータ（ＣＱＩ）ケースなどで使用されうる。代替的に、ＬＴＥの場合と同じ１６ビットのＣＲＣ生成器多項式が使用されうるが、それは、いくつかの切り捨て（truncation）を適用した後である。例えば、１６ビットのＣＲＣが生成された後、それは、Ｋ＜１６ビットへと切り捨てられ（truncated）うる。切り捨てられたＣＲＣは、送信情報ビットに付け加えられ、無線ネットワーク一時的識別子（the Radio Network Temporary Identifier）（ＲＮＴＩ）のＫ個のＬＳＢビットによってさらにマスクされうる。
【００５１】
[0057]  特定の態様において、低コストデバイス用のＤＣＩ設計は、漸進的な冗長（incremental redundancy）に対して割り付けられるビットを有さないＤＣＩ（DCI without bits allocated for incremental redundancy）を含みうる。これは、冗長バージョン（ＲＶ）＝０であるという想定を常に含み、これは、２ビットの節約につながりうる。
【００５２】
[0058]  特定の態様において、低コストデバイス用のＤＣＩ設計は、非周期的（aperiodic）サウンディング基準信号（sounding reference signal）（ＳＲＳ）要求に対して割り付けられるビットを有さないＤＣＩを含みうる。これは、１ビットの節約につながりうる。
【００５３】
[0059]  特定の態様において、低コストデバイス用のＤＣＩ設計は、送信機電力制御ＴＰＣのための減らされたビット幅を有するＤＣＩを含みうる。ある態様において、２ビットのＴＰＣコマンドの代わりに、１ビットが使用され、これは、低コストデバイスには十分でありうる。
【００５４】
[0060]  特定の態様において、低コストデバイス用のＤＣＩ設計は、復調基準信号（Demodulation Reference Signal）（ＤＭ−ＲＳ）のための減らされたサイクルシフトビット幅を有するＤＣＩを含みうる。特定の態様において、２つの値を示すために、３ビットの代わりに、１ビットが使用されうる。
【００５５】
[0061]  特定の態様において、低コストデバイス用のＤＣＩ設計は、マルチクラスタフラッグ（multi-cluster flag）に対して割り付けられる１ビットを有さないＤＣＩを含みうる。これは、１ビットの節約につながりうる。
【００５６】
[0062]  特定の態様において、必要な場合にのみ、例えば、周期的なＣＳＩがサポートされていない場合、非周期的なＣＳＩが保持されうる。ある態様において、特定のケースでは、周期的なＣＳＩだけがサポートされており、１ビットの非周期的なＣＳＩは取り除かれうる。このように、低コストデバイス用のＤＣＩ設計は、非周期的なＣＳＩに対して割り付けられる１ビットを有さないＤＣＩを含みうる。ある態様において、低コストＵＥは、周期的なＣＳＩがサポートされているか否かを決定しうる。低コストＵＥは、周期的なＣＳＩがサポートされていない場合には非周期的なＣＳＩを保持し、周期的なＣＳＩがサポートされている場合には非周期的なＣＳＩを取り除きうる。
【００５７】
[0063]  特定の態様において、局所化された／分散された仮想リソースブロック（virtual resource bloc）（ＶＲＢ）割当フラッグが取り除かれうる。このように、低コストデバイス用のＤＣＩ設計は、局所化された／分散されたＶＲＢ割当フラッグに対して割り付けられる１ビットを有さないＤＣＩを含みうる。
【００５８】
[0064]  特定の態様において、低コストＵＥは、ホッピングすること、または、決してホッピングしないことが常に要求されうる。このように、低コストデバイス用のＤＣＩ設計は、周波数ホッピングフラッグ（典型的に、ホッピングがあるかホッピングがないかを示すために使用される）に対して割り付けられる１ビットを有さないＤＣＩを含みうる。
【００５９】
[0065]  特定の態様において、ダウンリンク割当インデックス（the Downlink Assignment Index）（ＤＡＩ）およびＵＬ割当インデックス（UL assignment index）（ＴＤＤ）が取り除かれうる。ある態様において、これは、ＤＡＩ（例えば、複数のＤＬから１つのＵＬへのマッピングによる）またはＵＬ割当インデックス（例えば、１つのＤＬから複数のＵＬへのマッピングによる）に対する必要性が取り除かれるように、ＵＥごとに１対１のＤＬサブフレームからＵＬサブフレームへのマッピング（例えば、Ｈ−ＡＲＱ動作の場合）が常に存在することを確実にすることで達成されうる。このように、低コストデバイス用のＤＣＩ設計は、ＤＡＩおよびＵＬ割当インデックスに対して割り付けられる１ビットを有さないＤＣＩを含みうる。
【００６０】
[0066]  特定の態様において、異なるＵＥについて、ＤＬサブフレームとＵＬサブフレームについてのマッピングは、より良い負荷バランスのために異なりうる。例えば、ＵＥ １の場合、ＤＬサブフレームｘが、ＵＬサブフレームｙにマッピングされ、ＵＥ２の場合、ＤＬサブフレームｚが、ＵＬサブフレームｙにマッピングされうる。このように、ＵＬサブフレームｙは、２つのＵＥについて、異なるＤＬサブフレーム（ｘおよびｚ）にマッピングする。ある態様において、ＤＬサブフレームからＵＬサブフレームへのマッピングは、無線リソース制御（ＲＲＣ）シグナリングを介して低コストデバイスに示されうる。
【００６１】
[0067]  図４は、本開示の特定の態様に係る、レガシＤＣＩフォーマット１Ａと、対応するコンパクトＤＣＩフォーマットとの例示的な比較４００を示す。列４０２は、ＤＣＩフォーマット１Ａについてフィールドをリストする。列４０４は、レガシＤＣＩフォーマット１Ａの各フィールドのビット幅をリストし、列４０８は、上述された技法を用いてコンパクト化された、ＤＣＩフォーマット１ＡについてのコンパクトＤＣＩ設計の各フィールドのビット幅をリストする。列４１０は、コンパクトＤＣＩ設計においてビット数を減らすために、各フィールド４０２に対して使用される特定の技法を説明する。
【００６２】
[0068]  行４２０は、レガシＤＣＩフォーマット１ＡおよびコンパクトＤＣＩフォーマット１Ａにしたがって、ＤＣＩに要求されるビットの総数を示す。図４に示されたように、レガシＤＣＩフォーマット１ＡにしたがったＤＣＩは、３７ビットを要求する。しかしながら、コンパクト化されたＤＣＩフォーマット１ＡにしたがったＤＣＩは、上述された技法を用いることで、１８ビットしか要求せず、これは、ＰＤＣＣＨオーバヘッドの約５０％以上の節約である。
【００６３】
[0069]  図５は、本開示の特定の態様に係る、レガシＤＣＩフォーマット０と、対応するコンパクトＤＣＩフォーマットとの例示的な比較５００を示す。列５０２は、ＤＣＩフォーマット０についてフィールドをリストする。列５０４は、レガシＤＣＩフォーマット０の各フィールドについてのビット幅をリストし、列５０８は、上述された技法を用いてコンパクト化されたＤＣＩフォーマット０のコンパクトＤＣＩ設計の各フィールドについてのビット幅をリストする。列５１０は、コンパクトＤＣＩ設計におけるビット数を減らすために、各フィールド５０２に使用される特定の技法を説明する。
【００６４】
[0070]  行５２０は、レガシＤＣＩフォーマット０およびコンパクトＤＣＩフォーマット０にしたがって、ＤＣＩに要求されるビットの総数を示す。図５に示されるように、レガシフォーマット０にしたがったＤＣＩは、３７ビットを要求する。しかしながら、コンパクトＤＣＩフォーマット０にしたがったＤＣＩは、上述された技法を用いることで、１９ビットしか要求せず、これは、ＰＤＣＣＨオーバヘッドの５０％近くの節約である。
【００６５】
[0071]  図６は、本開示の特定の態様に係る、ＤＣＩを生成するための、基地局（ＢＳ）によって実行されうる例示的な動作６００を示す。動作６００は、６０２において、第１のタイプの第１のデバイスによるＵＬまたはＤＬ送信のうちの少なくとも１つで使用するためのＤＣＩを送信するためのコンパクトＤＣＩフォーマットを生成することで開始し、ここで、コンパクトＤＣＩフォーマットは、第２のタイプの第２のデバイスによって使用される少なくとも１つの標準ＤＣＩフォーマットに対応し、標準ＤＣＩフォーマットと比較した場合に低減された数のビットを備える。６０４において、ＢＳは、ＤＣＩをコンパクトＤＣＩフォーマットにしたがって送信しうる。ある態様において、第１のタイプのデバイスは、低コストデバイス（例えば、低コストＵＥ）を含み、第２のタイプのデバイスは、通常のＵＥを含みうる。さらに、上述されたように、低コストＵＥは、通常のＵＥと比べた場合に、低下した処理能力を備えうる。ある態様において、ＢＳは、ｅＮＢ １１０を含みうる。
【００６６】
[0072]  図７は、本開示の特定の態様に係る、ＤＣＩを受信および処理するための、ユーザ機器（ＵＥ）（例えば、低コストＵＥ）によって実行されうる例示的な動作７００を示す。動作７００は、７０２において、ＵＬまたはＤＬ送信のうちの少なくとも１つで使用するためのコンパクトＤＣＩフォーマットにしたがってＤＣＩを受信することで開始し、ここにおいて、コンパクトＤＣＩフォーマットは、第２のタイプの第２のデバイスによって使用される少なくとも１つの標準ＤＣＩに対応し、標準ＤＣＩフォーマットと比較した場合に低減された数のビットを備える。７０４において、ＵＥは、受信されたＤＣＩを処理しうる。ある態様において、第１のタイプのデバイスは、低コストデバイス（例えば、低コストＵＥ）を含み、第２のタイプのデバイスは、通常のＵＥを含みうる。さらに、上述されたように、低コストＵＥは、通常のＵＥと比べた場合に、低下した処理能力を備えうる。ある態様において、ＵＥは、ＵＥ １２０を含みうる。
【００６７】
[0073]  特定の態様において、上述されたように、低コストＵＥにおいて復号複雑性を減らすための別の技法は、低コストデバイスによる処理量を減らすためにブラインドＰＤＣＣＨ復号の数を減らすことを含みうる。上述されたように、この技法は、受信側の低コストデバイスが、復号候補の制限されたセットに対してブラインド復号を実行することだけ必要となるように、復号候補の制限されたセットからＤＣＩを送信するためのリソースのセットを選択することを含みうる。
【００６８】
[0074]  ある態様において、より低い電力消費のために、および／または、潜在的により少ないＰＤＣＣＨペイロードサイズのために、より小さい復号複雑性に加えて、ブラインド復号の数が減らされうる。ある態様において、ブラインドＰＤＣＣＨの数は、かなり減らされうる。例えば、６個のＲＢの場合、良いチャネル条件であったとしても、ＭＵ−ＭＩＭＯがＰＤＳＣＨに対して採用され、ＰＤＣＣＨに対して２個のＲＢが存在する場合、ＰＤＣＣＨの数は、例えば、４つの復号候補に制限されうる。４つの復号候補は、２個のＲＢポート７、２個のＲＢポート８、１個のＲＢ−ポート７、１個のＲＢ−ポート７を含みうる。このケースにおいて、ブラインド復号の数は、当初の４４個のブラインド復号の１／１１である。ある態様において、より少ない数のブラインド復号により、より短いＣＲＣ長も可能になりうる。
【００６９】
[0075]  当業者は、情報および信号が、様々な異なる技術および技法のいずれかを使用して表されうることを理解するだろう。例えば、上記説明の全体にわたって参照されうるデータ、命令、コマンド、情報、信号、ビット、シンボル、およびチップは、電圧、電流、電磁波、磁場または磁性粒子、光場または光粒子、またはこれらの任意の組み合わせによって表されうる。
【００７０】
[0076]  当業者はさらに、本明細書の開示に関連して説明された様々な実例となる論理ブロック、モジュール、回路、およびアルゴリズムのステップが、電子ハードウェア、コンピュータソフトウェア、または両者の組み合わせとして実現されうることを認識するだろう。ハードウェアとソフトウェアとのこの互換性を明確に説明するために、様々な実例となるコンポーネント、ブロック、モジュール、回路、およびステップが、概ねそれらの機能の観点から上述されている。そのような機能がハードウェアとして実現されるかソフトウェアとして実現されるかは、特定のアプリケーションおよびシステム全体に課された設計の制約に依存する。当業者は、特定のアプリケーションごとに、説明された機能を様々な方法で実現することができるが、そのような実現の決定は、本開示の範囲からの逸脱を起こすものとして解釈されるべきではない。
【００７１】
[0077]  本明細書の開示に関連して説明された、様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、本明細書で説明された機能を実行するように設計されたそれらの任意の組み合わせを用いて、実現または実行されることができる。汎用プロセッサは、マイクロプロセッサでありうるが、代替的に、プロセッサは、任意の従来のプロセッサ、コントローラ、マイクロコントローラ、またはステートマシンでありうる。プロセッサはまた、計算デバイスの組み合わせ、例えば、ＤＳＰと、１つのマイクロプロセッサ、複数のマイクロプロセッサ、ＤＳＰコアと結合された１つ以上のマイクロプロセッサとの組み合わせ、または任意の他のそのような構成として実現されうる。
【００７２】
[0078]  本明細書の開示に関連して説明されたアルゴリズムまたは方法のステップは、直接的にハードウェアで、プロセッサによって実行されるソフトウェアモジュールで、または両者の組み合わせで具現化されることができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取り外し可能なディスク、ＣＤ−ＲＯＭ、または、当技術分野において知られているあらゆる他の形態の記憶媒体に存在しうる。例示的な記憶媒体は、プロセッサがこの記憶媒体から情報を読み取り、またこの記憶媒体に情報を書き込むことができるように、プロセッサに結合される。代替的に、記憶媒体は、プロセッサと一体化されうる。プロセッサおよび記憶媒体は、ＡＳＩＣ内に存在しうる。ＡＳＩＣは、ユーザ端末内に存在しうる。代替的に、プロセッサおよび記憶媒体は、ユーザ端末内のディスクリートコンポーネントとして存在しうる。
【００７３】
[0079]  １つ以上の例示的な設計において、説明された機能は、ハードウェア、ソフトウェア／ファームウェア、またはそれらの任意の組み合わせで実現されうる。ソフトウェアで実現される場合、これらの機能は、コンピュータ読取可能な媒体上の１つ以上の命令またはコードとして送信または記憶されうる。コンピュータ読取可能な媒体は、ある場所から別の場所へのコンピュータプログラムの転送を容易にする任意の媒体を含む通信媒体とコンピュータ記憶媒体との両方を含む。記憶媒体は、汎用コンピュータまたは専用コンピュータによってアクセスされることができる任意の利用可能な媒体でありうる。限定されない例として、そのようなコンピュータ読取可能な媒体は、ＲＡＭ、ＲＯＭ、ＥＥＰＲＯＭ、ＣＤ-ＲＯＭまたは他の光学ディスク記憶装置、磁気ディスク記憶装置または他の磁気記憶デバイス、あるいは、所望のプログラムコード手段を命令またはデータ構造の形態で搬送または記憶するために使用されることができ、かつ、汎用コンピュータまたは専用コンピュータ、あるいは、汎用プロセッサまたは専用プロセッサによってアクセスされることができる任意の他の媒体も備えることができる。さらに、いずれの接続もコンピュータ読取可能な媒体と厳密には称される。例えば、同軸ケーブル、光ファイバーケーブル、ツイストペア、デジタル加入者回線（ＤＳＬ）、または赤外線、無線、およびマイクロ波のようなワイヤレス技術を用いて、ソフトウェアが、ウェブサイト、サーバ、または他の遠隔ソース、から送信されると、同軸ケーブル、光ファイバーケーブル、ツイストペア、ＤＳＬ、または赤外線、無線、およびマイクロ波のようなワイヤレス技術は、媒体の定義に含まれている。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここで、ディスク（disk）は通常磁気的にデータを再生し、ディスク（disc）は、レーザーを用いて光学的にデータを再生する。上記の組み合わせもまた、コンピュータ読取可能な媒体の範囲内に含まれるべきである。
【００７４】
[0080]  本開示の先の説明は、本開示を製造または使用することをいずれの当業者にも可能にさせるために提供されている。本開示への様々な変更は、当業者には容易に明らかであり、本明細書で定義された包括的な原理は、本開示の精神または範囲から逸脱せずに、他の変形例に適用されうる。このように、本開示は、本明細書で説明された例および設計に限定されることは意図しておらず、本明細書で開示された原理および新規な特徴と一致する最も広い範囲が付与されるべきである。
【図１】
2019195196.tif 000003
【図２】
2019195196.tif 000004
【図３】
2019195196.tif 000005
【図４】
2019195196.tif 000006
【図５】
2019195196.tif 000007
【図６】
2019195196.tif 000008
【図７】
2019195196.tif 000009
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信することと
を備え、
前記ＤＣＩは、
リソース割付可能性の制限されたセットのためのＤＣＩを備える、
方法。
【請求項２】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信することと
を備え、
前記ＤＣＩは、
マルチクラスタフラッグに対して割り付けられる１ビットを有さないＤＣＩを備える、
方法。
【請求項３】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信することと
を備え、
前記ＤＣＩは、
仮想リソースブロック割当に対して割り付けられる１ビットを有さないＤＣＩを備える、
方法。
【請求項４】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信することと
を備え、
前記ＤＣＩは、
周波数ホッピングフラッグに対して割り付けられる１ビットを有さないＤＣＩを備える、
方法。
【請求項５】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信することと
を備え、
前記ＤＣＩは、
ダウンリンク割当インデックス（ＤＡＩ）およびＵＬ割当インデックスに対して割り付けられる１ビットを有さないＤＣＩを備え、ＵＥごとに、ＤＬサブフレームとＵＬサブフレームとの間で１対１のマッピングが維持される、
方法。
【請求項６】
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信することと
を備え、前記方法は、
復号候補の制限されたセットから前記ＤＣＩを送信するためのリソースのセットを選択することと、
受信側のＵＥが前記復号候補の制限されたセットに対してブラインド復号を実行することだけ必要となるように、前記リソースの選択されたセットを用いて前記ＤＣＩを送信することと
をさらに備える、方法。
【請求項７】
ワイヤレス通信のための装置であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成するための手段と、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記コンパクトＤＣＩフォーマットにしたがって前記ＤＣＩを送信するための手段と  を備え、前記装置は、
復号候補の制限されたセットから前記ＤＣＩを送信するためのリソースのセットを選択するための手段と、
受信側のＵＥが前記復号候補の制限されたセットに対してブラインド復号を実行することだけ必要となるように、前記リソースの選択されたセットを用いて前記ＤＣＩを送信するための手段と
をさらに備える、装置。
【請求項８】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理することと
を備え、
前記ＤＣＩは、
リソース割付可能性の制限されたセットのためのＤＣＩを備える、
方法。
【請求項９】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理することと
を備え、
前記ＤＣＩは、
マルチクラスタフラッグに対して割り付けられる１ビットを有さないＤＣＩを備える、
方法。
【請求項１０】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理することと
を備え、
前記ＤＣＩは、
仮想リソースブロック割当に対して割り付けられる１ビットを有さないＤＣＩを備える、
方法。
【請求項１１】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理することと
を備え、
前記ＤＣＩは、
周波数ホッピングフラッグに対して割り付けられる１ビットを有さないＤＣＩを備える、
方法。
【請求項１２】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理することと
を備え、
前記ＤＣＩは、
ダウンリンク割当インデックス（ＤＡＩ）およびＵＬ割当インデックスに対して割り付けられる１ビットを有さないＤＣＩを備え、ＵＥごとに、ＤＬサブフレームとＵＬサブフレームとの間で１対１のマッピングが維持される、
方法。
【請求項１３】
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理することと
を備え、
前記ＤＣＩは、復号候補の制限されたセットから選択されたリソースのセットを用いて送信され、
前記方法は、前記ＤＣＩを含むＰＤＣＣＨを検出するために、前記復号候補の制限されたセットに対してブラインド復号を実行することを備える、
方法。
【請求項１４】
第１のタイプの第１のデバイスによるワイヤレス通信のための装置であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信するための手段と、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、
前記受信されたＤＣＩを処理するための手段と
を備え、
前記ＤＣＩは、復号候補の制限されたセットから選択されたリソースのセットを用いて送信され、
前記装置は、前記ＤＣＩを含むＰＤＣＣＨを検出するために、前記復号候補の制限されたセットに対してブラインド復号を実行するための手段を備える、
装置。
【手続補正２】
【補正対象書類名】明細書
【補正対象項目名】００７４
【補正方法】変更
【補正の内容】
【００７４】
[0080]  本開示の先の説明は、本開示を製造または使用することをいずれの当業者にも可能にさせるために提供されている。本開示への様々な変更は、当業者には容易に明らかであり、本明細書で定義された包括的な原理は、本開示の精神または範囲から逸脱せずに、他の変形例に適用されうる。このように、本開示は、本明細書で説明された例および設計に限定されることは意図しておらず、本明細書で開示された原理および新規な特徴と一致する最も広い範囲が付与されるべきである。
以下に本願の出願当初の特許請求の範囲に記載された発明を付記する。
［Ｃ１］
ワイヤレス通信のための方法であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信することと
を備える方法。
［Ｃ２］
前記第１のタイプのデバイスは、前記第２のタイプのデバイスと比較した場合、低下した処理能力を備える、Ｃ１に記載の方法。
［Ｃ３］
前記第１のデバイスは、低コストユーザ機器（ＵＥ）を備える、Ｃ１に記載の方法。
［Ｃ４］
前記ＤＣＩを生成することは、
リソース割付情報に対して割り付けられるビットを有さない前記ＤＣＩを生成することを備え、前記ＤＣＩは、一度に一人のユーザに対して複数のリソースを割り付ける、Ｃ１に記載の方法。
［Ｃ５］
前記ＤＣＩを生成することは、
リソース割付可能性の制限されたセットのために、前記ＤＣＩを生成することを備える、Ｃ１に記載の方法。
［Ｃ６］
前記ＤＣＩを生成することは、
制限された変調およびコード化スキーム（ＭＣＳ）のために前記ＤＣＩを生成することを備える、Ｃ１に記載の方法。
［Ｃ７］
前記制限されたＭＣＳは、可能なコード化レートの制限されたセットで直交位相変調（ＱＰＳＫ）のみを備える、Ｃ６に記載の方法。
［Ｃ８］
前記ＤＣＩを生成することは、
ハイブリッド自動再送要求（ＨＡＲＱ）プロセスの制限されたセットに対して、前記ＤＣＩを生成することを備える、Ｃ１に記載の方法。
［Ｃ９］
前記ＤＣＩは、ＨＡＲＱプロセスのインジケーションが欠けている、Ｃ８に記載の方法。
［Ｃ１０］
前記ＤＣＩを生成することは、
ＤＣＩフォーマット１Ａと０とを区別するために割り付けられる１ビットを有さない前記ＤＣＩを生成することを備え、前記ＤＣＩフォーマット１Ａおよび０は、異なるサイズを有する、Ｃ１に記載の方法。
［Ｃ１１］
前記ＤＣＩを生成することは、
前記ＤＣＩに対して、減らされた長さの周期的冗長検査（ＣＲＣ）を生成することを備える、Ｃ１に記載の方法。
［Ｃ１２］
前記減らされた長さのＣＲＣを生成することは、
第１の長さのＣＲＣを生成すること、および、前記減らされた長さのＣＲＣを生成するために、前記第１の長さの前記ＣＲＣを切り捨てることを備える、Ｃ１１に記載の方法。
［Ｃ１３］
前記ＤＣＩを生成することは、
冗長バージョン（ＲＶ）に対して割り付けられるビットを有さない前記ＤＣＩを生成することを備える、Ｃ１に記載の方法。
［Ｃ１４］
前記ＤＣＩを生成することは、
サウンディング基準信号（ＳＲＳ）要求に対して割り付けられるビットを有さない前記ＤＣＩを生成することを備える、Ｃ１に記載の方法。
［Ｃ１５］
前記ＤＣＩを生成することは、
送信機電力制御（ＴＰＣ）のための減らされたビット幅を有する前記ＤＣＩを生成することを備える、Ｃ１に記載の方法。
［Ｃ１６］
前記ＤＣＩを生成することは、
復調基準信号（ＤＭ−ＲＳ）のための減らされたビット幅を有する前記ＤＣＩを生成することを備える、Ｃ１に記載の方法。
［Ｃ１７］
前記ＤＣＩを生成することは、
マルチクラスタフラッグに対して割り付けられる１ビットを有さない前記ＤＣＩを生成することを備える、Ｃ１に記載の方法。
［Ｃ１８］
前記ＤＣＩを生成することは、
仮想リソースブロック割当に対して割り付けられる１ビットを有さない前記ＤＣＩを生成することを備える、Ｃ１に記載の方法。
［Ｃ１９］
周期的なチャネル状態情報（ＣＳＩ）がサポートされているか否かを決定することと、
周期的なＣＳＩがサポートされていない場合に非周期的なＣＳＩを保持することと、
周期的なＣＳＩがサポートされている場合に非周期的なＣＳＩを取り除くことと
をさらに備える、Ｃ１に記載の方法。
［Ｃ２０］
前記ＤＣＩを生成することは、
周波数ホッピングフラッグに対して割り付けられる１ビットを有さない前記ＤＣＩを生成することを備える、Ｃ１に記載の方法。
［Ｃ２１］
前記ＤＣＩを生成することは、
ダウンリンク割当インデックス（ＤＡＩ）およびＵＬ割当インデックスに対して割り付けられる１ビットを有さない前記ＤＣＩを生成することを備え、ＵＥごとに、ＤＬサブフレームとＵＬサブフレームとの間で１対１のマッピングが維持される、Ｃ１に記載の方法。
［Ｃ２２］
復号候補の制限されたセットから前記ＤＣＩを送信するためのリソースのセットを選択することと、
受信側のＵＥが前記復号候補の制限されたセットに対してブラインド復号を実行することだけ必要となるように、前記リソースの選択されたセットを用いて前記ＤＣＩを送信することと
をさらに備える、Ｃ１に記載の方法。
［Ｃ２３］
ワイヤレス通信のための装置であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成するための手段と、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信するための手段と
を備える装置。
［Ｃ２４］
前記第１のタイプのデバイスは、前記第２のタイプのデバイスと比較した場合、低下した処理能力を備える、Ｃ２３に記載の装置。
［Ｃ２５］
前記第１のデバイスは、低コストユーザ機器（ＵＥ）を備える、Ｃ２３に記載の装置。
［Ｃ２６］
復号候補の制限されたセットから前記ＤＣＩを送信するためのリソースのセットを選択するための手段と、
受信側のＵＥが前記復号候補の制限されたセットに対してブラインド復号を実行することだけ必要となるように、前記リソースの選択されたセットを用いて前記ＤＣＩを送信するための手段と
をさらに備える、Ｃ２３に記載の装置。
［Ｃ２７］
ワイヤレス通信のための装置であって、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信することと
を行うように構成された少なくとも１つのプロセッサと、
前記少なくとも１つのプロセッサに結合されたメモリと
を備える、装置。
［Ｃ２８］
ワイヤレス通信のためのコンピュータプログラム製品であって、コンピュータ読取可能な媒体を備え、前記コンピュータ読取可能な媒体は、
第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記コンパクトＤＣＩフォーマットにしたがって前記ＤＣＩを送信することと
を行うためのコードを備える、コンピュータプログラム製品。
［Ｃ２９］
第１のタイプの第１のデバイスによるワイヤレス通信のための方法であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記受信されたＤＣＩを処理することと
を備える方法。
［Ｃ３０］
前記第１のタイプのデバイスは、前記第２のタイプのデバイスと比較した場合、低下した処理能力を備える、Ｃ２９に記載の方法。
［Ｃ３１］
前記第１のデバイスは、低コストユーザ機器（ＵＥ）を備える、Ｃ２９に記載の方法。
［Ｃ３２］
前記ＤＣＩは、
リソース割付情報に対して割り付けられるビットを有さないＤＣＩを備え、前記ＤＣＩは、一度に一人のユーザに対して複数のリソースを割り付ける、Ｃ２９に記載の方法。
［Ｃ３３］
前記ＤＣＩは、
リソース割付可能の制限されたセットのためのＤＣＩを備える、Ｃ２９に記載の方法。
［Ｃ３４］
前記ＤＣＩは、
制限された変調およびコード化スキーム（ＭＣＳ）のためのＤＣＩを備える、Ｃ２９に記載の方法。
［Ｃ３５］
前記制限されたＭＣＳは、可能なコード化レートの制限されたセットで直交位相変調（ＱＰＳＫ）のみを備える、Ｃ３４に記載の方法。
［Ｃ３６］
前記ＤＣＩは、
ハイブリッド自動再送要求（ＨＡＲＱ）プロセスの制限されたセットに対するＤＣＩを備える、Ｃ２９に記載の方法。
［Ｃ３７］
前記ＤＣＩは、ＨＡＲＱプロセスのインジケーションが欠けている、Ｃ３６に記載の方法。
［Ｃ３８］
前記ＤＣＩは、
ＤＣＩフォーマット１Ａと０とを区別するために割り付けられる１ビットを有さないＤＣＩを備え、前記ＤＣＩフォーマット１Ａおよび０は、異なるサイズを有する、Ｃ２９に記載の方法。
［Ｃ３９］
前記ＤＣＩは、
前記ＤＣＩのための減らされた長さの周期的冗長検査（ＣＲＣ）を備える、Ｃ２９に記載の方法。
［Ｃ４０］
前記減らされた長さのＣＲＣは、
第１の長さのＣＲＣを生成すること、および、前記減らされた長さのＣＲＣを生成するために前記第１の長さのＣＲＣを切り捨てることによって生成されるＣＲＣを備える、Ｃ３９に記載の方法。
［Ｃ４１］
前記ＤＣＩは、
冗長バージョン（ＲＶ）に対して割り付けられるビットを有さないＤＣＩを備える、Ｃ２９に記載の方法。
［Ｃ４２］
前記ＤＣＩは、
サウンディング基準信号（ＳＲＳ）要求に対して割り付けられるビットを有さないＤＣＩを備える、Ｃ２９に記載の方法。
［Ｃ４３］
前記ＤＣＩは、
送信機電力制御（ＴＰＣ）のための減らされたビット幅を有するＤＣＩを備える、Ｃ２９に記載の方法。
［Ｃ４４］
前記ＤＣＩは、
復調基準信号（ＤＭ−ＲＳ）のための減らされたビット幅を有するＤＣＩを備える、Ｃ２９に記載の方法。
［Ｃ４５］
前記ＤＣＩは、
マルチクラスタフラッグに対して割り付けられる１ビットを有さないＤＣＩを備える、Ｃ２９に記載の方法。
［Ｃ４６］
前記ＤＣＩは、
周期的なチャネル状態情報（ＣＳＩ）がサポートされていない場合に、非周期的なＣＳＩを有するＤＣＩと、
周期的なＣＳＩがサポートされている場合に、非周期的なＣＳＩを有さないＤＣＩと
を備える、Ｃ２９に記載の方法。
［Ｃ４７］
前記ＤＣＩは、
仮想リソースブロック割当に対して割り付けられる１ビットを有さないＤＣＩを備える、Ｃ２９に記載の方法。
［Ｃ４８］
前記ＤＣＩは、
周波数ホッピングフラッグに対して割り付けられる１ビットを有さないＤＣＩを備える、Ｃ２９に記載の方法。
［Ｃ４９］
前記ＤＣＩは、
ダウンリンク割当インデックス（ＤＡＩ）およびＵＬ割当インデックスに対して割り付けられる１ビットを有さないＤＣＩを備え、ＵＥごとに、ＤＬサブフレームとＵＬサブフレームとの間で１対１のマッピングが維持される、Ｃ２９に記載の方法。
［Ｃ５０］
前記ＤＣＩは、復号候補の制限されたセットから選択されたリソースのセットを用いて送信され、
前記方法は、前記ＤＣＩを含むＰＤＣＣＨを検出するために、前記復号候補の制限されたセットに対してブラインド復号を実行することを備える、
Ｃ２９に記載の方法。
［Ｃ５１］
第１のタイプの第１のデバイスによるワイヤレス通信のための装置であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信するための手段と、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記受信されたＤＣＩを処理するための手段と
を備える装置。
［Ｃ５２］
前記第１のタイプのデバイスは、前記第２のタイプのデバイスと比較した場合、低下した処理能力を備える、Ｃ５１に記載の装置。
［Ｃ５３］
前記第１のデバイスは、低コストユーザ機器（ＵＥ）を備える、Ｃ５１に記載の装置。
［Ｃ５４］
前記ＤＣＩは、復号候補の制限されたセットから選択されたリソースのセットを用いて送信され、
前記装置は、前記ＤＣＩを含むＰＤＣＣＨを検出するために、前記復号候補の制限されたセットに対してブラインド復号を実行するための手段を備える、
Ｃ５１に記載の装置。
［Ｃ５５］
第１のタイプの第１のデバイスによるワイヤレス通信のための装置であって、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、    前記受信されたＤＣＩを処理することと
を行うように構成された少なくとも１つのプロセッサと、
前記少なくとも１つのプロセッサに結合されたメモリと、
を備える、装置。
［Ｃ５６］
第１のタイプの第１のデバイスによるワイヤレス通信のためのコンピュータプログラム製品であって、コンピュータ読取可能な媒体を備え、前記コンピュータ読取可能な媒体は、
アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記標準ＤＣＩフォーマットと比較した場合に低減された数のビットを備える、
前記受信されたＤＣＩを処理することと
を行うためのコードを備える、コンピュータプログラム製品。
【外国語明細書】
2019195196000001.pdf